(57)【要約】      （修正有）【課題】強固なグリップ力が得られ、取り付けられる長尺物の径の範囲が大きい固定装置を提供する。【解決手段】固定装置１は、機器固定台２と、圧接ゴム脚３と、締め付けベルト４とを有し、圧接ゴム脚３は、ゴム状の可撓性のある材料からなり、長尺物に圧接する圧接部を備え、圧接部は二股に分かれた形状をなし、二股に分岐する根元近傍の部分であって第１の所定の厚さを有する基部圧接部と、基部圧接部の端部から薄肉の部分により連結され第２の所定の厚さを有する単数または複数の補助圧接部とを備えており、締め付けベルト４で、断面外径が丸い長尺物に巻き付けて締め付けたときには、機器固定台２が締め付けベルト４により長尺物方向に押しつけられることにより、固定装置１が長尺物に固定されるよう構成されたことにより、基部圧接部による圧接に加えて、補助圧接部も圧接して機器固定台を支えることにより、強固なグリップ力を得ることを可能とした。【選択図】図２
2019128427.tif 000002
【特許請求の範囲】
【請求項１】
機器を、長尺物に固定するための固定装置であって、
前記固定装置は、機器固定台と、圧接ゴム脚と、締め付けベルトとを有し、
前記機器固定台は、第１の一端部に機器固定部と、第１の他端部に圧接ゴム脚連結部と締め付けベルト取り付け部とを備え、
前記圧接ゴム脚は、ゴム状の可撓性のある材料からなり、第２の一端部に機器固定台連結部と、第２の他端部に圧接部とを備え、
前記締め付けベルトは、バックル部とベルト部とを備えていて、
前記圧接ゴム脚連結部と前記機器固定台連結部とを互いに連結し、前記締め付けベルト取り付け部に前記締め付けベルトを取り付けた状態で、前記締め付けベルトを前記長尺物に巻き付け締め付けて固定する固定装置において、
前記圧接部は二股に分かれた形状をなし、二股に分岐する根元近傍の部分であって第１の所定の厚さを有する基部圧接部と、前記基部圧接部のそれぞれの端部から、薄肉の部分により連結され第２の所定の厚さを有する単数または複数の補助圧接部とを備えており、
前記締め付けベルトで、断面外径が丸い長尺物に巻き付けて締め付けたときには、前記機器固定台が前記締め付けベルトにより前記長尺物方向に押しつけられることにより前記基部圧接部が前記長尺物に圧接され、前記補助圧接部は前記締め付けベルトにより外面が押圧されることにより前記長尺物に圧接されて、前記固定装置が前記長尺物に固定されるよう構成されている
ことを特徴とする固定装置。
【請求項２】
前記端部圧接部は、側面から見たときの断面形状が外面方向に向かって細くなっている略三角形または略台形形状である
ことを特徴とする請求項１記載の固定装置。
【請求項３】
前記圧接部は略逆Ｙ字状の形状である
ことを特徴とする請求項１または２記載の固定装置。
【請求項４】
前記長尺物に当接される前記圧接部の内面は、連続した略平面状に形成されている
ことを特徴とする請求項１乃至３記載の固定装置。
【請求項５】
前記圧接ゴム脚連結部は前記第１の他端部に形成された凹部であって、前記締め付けベルト取り付け部は前記第１の他端部に形成され、前記長尺物の周方向に形成された幅広の第１の貫通穴であり、            
前記機器固定台連結部は、前記第２の一端部に形成された凸部であり、前記凸部には前記長尺物の周方向に形成された幅広の第２の貫通穴が形成されていて、
前記凹部と前記凸部を第１の貫通穴と前記第２の貫通穴の方向を合わせて連結させた状態で、第１の貫通穴と前記第２の貫通穴により互いに貫通する連通貫通穴が構成され、前記連通貫通穴に前記締め付けベルトを通した状態で、前記機器固定台と前記圧接ゴム脚と前記締め付けベルトとは一体となるように構成した
ことを特徴とする請求項１乃至４記載の固定装置。
【請求項６】
前記機器固定部には三脚ネジ軸を備える
ことを特徴とする請求項１乃至５記載の固定装置。
【請求項７】
前記ベルト部は、帯状に形成され、フック状の係合素子とループ状の係合素子が同一面に並存している面ファスナーを一面に有していて、前記バックル部は前記ベルト部の第３の一端部に固定され、四角い枠状に形成され、
前記締め付けベルトを前記長尺物に巻き付け、前記バックル部に前記ベルト部の第３の他端部を挿入し、折り返して締め上げ、前記面ファスナーを重ね合わせて係合させることにより、前記機器固定部が前記長尺物に固定されるように構成した
ことを特徴とする請求項１乃至６記載の固定装置。
【請求項８】
前記長尺物の外周の大きさに応じて、前記締め付けベルトを複数連結するように構成した
ことを特徴とする請求項７記載の固定装置。
【発明の詳細な説明】
【技術分野】
【０００１】
本発明は固定装置に関し、より詳細には機器を長尺物に固定するための固定装置に関する。
【背景技術】
【０００２】
従来より、動画を撮影できるビデオカメラやデジタルカメラのようなカメラが提供されている。また近年、記録媒体が磁気テープやディスクから半導体メモリとなり、更に半導体メモリの大幅な小型化、大容量化により、長時間の動画撮影が可能な軽量で小型のカメラが急速に普及している。
【０００３】
これらのカメラを使用して、例えば、自転車のハンドル等に固定装置を用いてカメラを固定し、走行しているときの動画映像を撮影して、後でその動画映像を再生して楽しむといった使い方がされるようになってきている。
【０００４】
しかしながら、自転車の走行中には、路面の凹凸による振動や、段差を乗り越えるときの衝撃を受けるため、固定装置はこの振動や衝撃に耐えることのできる十分なグリップ力が必要とされる。そのため、このような固定装置をハンドル等にしっかりと固定するには、締め付けに大きな力が必要なものであった。このようなことから軽い力でも、強固なグリップ力の得られる固定装置が望まれてきている。
【０００５】
また、自転車で行った先でも、同じカメラを使えるようにした固定装置が望まれてきている。すなわち、行った先の公園等の柵や遊具のパイプにカメラを固定し、自分や、一緒に行った仲間等と、記念写真等を撮影できるように、自転車のハンドル等のパイプよりも太いパイプにも対応し、安定して固定できるようにした固定装置が望まれてきている。
【０００６】
従来のこれらの固定装置として、特許文献１にて開示されたものがある。この固定装置は、固定用ベルトにカメラ固定用ネジ付きベースを設け、アジャスターを取り付けたベルト式のカメラスタンドである。そして、カメラで撮影するに際して、三脚がなくても、柵やベビーカーのハンドル、自転車のフレームや公園の遊具等の形状が棒状のものに取り付けて固定することができる。
【０００７】
また、これらの従来の固定装置として、特許文献２にて開示されたものがある。この固定装置は、中央部で屈曲し、屈曲した内側部分にパイプ材への装着面、外側部分に雲台取り付け面を有する金属板でできたベース部材と、クランプ機構を有し、雲台取り付け面に取り付けられたカメラ雲台を備えるものである。そしてパイプ材に簡便かつ迅速にカメラを設置することができる。
【０００８】
また、これらの固定装置として、図１５に示す固定装置が一般に知られている。この固定装置１００１は、剛性の高い金属製であって、固定装置本体１００２の一端部１００３にカメラ１１１０を固定し、他端部１００４と固定片１００５を用いてパイプ１２１０に固定できるようにしたものである。そして固定にあたっては、まずはパイプ１２１０にゴムシート１００６を巻き付け、その後、他端部１００４と固定片１００５でパイプ１２１０をはさみこみ、２本のネジをハンドル１００７で締め付けることによりおこなう。このようにして、カメラ１１１０をパイプ１２１０に、固定装置１００１を介して固定することができる。
【先行技術文献】
【特許文献】
【０００９】
【特許文献１】特開２０００−９８４８５号公報
【特許文献２】特開２０１１−５９３４３号公報
【発明の概要】
【発明が解決しようとする課題】
【００１０】
しかしながら、特許文献１に記載の技術では、自転車を走行させたときのように、振動や衝撃がかかったときには、グリップ力が十分ではなく、カメラでの撮影が不安定なものになってしまうという不都合があった。
【００１１】
また、特許文献２に記載の技術では、金具を使って長尺物を直接把持しているので、強い力で当たっているのは長尺物の外周のうちの数カ所であって、固定はできても、振動や衝撃に対してのグリップ力は強固ではないという不都合があった。また、取り付けられるパイプの径の範囲が狭いという不都合があった。
【００１２】
また、図１５に示す技術では、取り付けが複雑で、締め付けネジをしっかりと締める必要があり、取り付けに時間と大きな力を必要とするという不都合があった。また、取り付けられるパイプの径の範囲が狭いという不都合があった。
【００１３】
本発明の目的は、軽い力でも、強固なグリップ力が得られ、取り付けられる長尺物の径の範囲が大きい固定装置を提供することにある。  
【課題を解決するための手段】
【００１４】
本発明は、上記の課題を解決するために、以下の構成を採用した。
【００１５】
本発明は、機器を、長尺物に固定するための固定装置に関する。
そして、固定装置は、機器固定台と、圧接ゴム脚と、締め付けベルトとを有し、機器固定台は、第１の一端部に機器固定部と、第１の他端部に圧接ゴム脚連結部と締め付けベルト取り付け部とを備え、圧接ゴム脚は、ゴム状の可撓性のある材料からなり、第２の一端部に機器固定台連結部と、第２の他端部に圧接部とを備え、締め付けベルトは、バックル部とベルト部とを備えていて、圧接ゴム脚連結部と機器固定台連結部とを互いに連結し、締め付けベルト取り付け部に締め付けベルトを取り付けた状態で、締め付けベルトを長尺物に巻き付け締め付けて固定する固定装置であって、圧接部は二股に分かれた形状をなし、二股に分岐する根元近傍の部分であって第１の所定の厚さを有する基部圧接部と、基部圧接部のそれぞれの端部から、薄肉の部分により連結され第２の所定の厚さを有する単数または複数の補助圧接部とを備えており、締め付けベルトで、断面外径が丸い長尺物に巻き付けて締め付けたときには、機器固定台が締め付けベルトにより長尺物方向に押しつけられることにより基部圧接部が長尺物に圧接され、補助圧接部は締め付けベルトにより外面が押圧されることにより長尺物に圧接されて、固定装置が長尺物に固定されるよう構成されていることを特徴とする。
【００１６】
また、端部圧接部は、側面から見たときの断面形状が外面方向に向かって細くなっている略三角形または略台形形状であることを特徴とする。
【００１７】
また、圧接部は略逆Ｙ字状の形状であることを特徴とする。
【００１８】
また、長尺物に当接される圧接部の内面は、連続した略平面状に形成されていることを特徴とする。
【００１９】
また、圧接ゴム脚連結部は第１の他端部に形成された凹部であって、締め付けベルト取り付け部は第１の他端部に形成され、長尺物の周方向に形成された幅広の第１の貫通穴であり、機器固定台連結部は、第２の一端部に形成された凸部であり、凸部には長尺物の周方向に形成された幅広の第２の貫通穴が形成されていて、凹部と凸部を第１の貫通穴と第２の貫通穴の方向を合わせて連結させた状態で、第１の貫通穴と第２の貫通穴により互いに貫通する連通貫通穴が構成され、連通貫通穴に締め付けベルトを通した状態で、機器固定台と圧接ゴム脚と締め付けベルトとは一体となるように構成したことを特徴とする。  
【００２０】
また、機器固定部には三脚ねじ軸を備えることを特徴とする。
【００２１】
また、ベルト部は、帯状に形成され、フック状の係合素子とループ状の係合素子が同一面に並存している面ファスナーを一面に有していて、バックル部はベルト部の第３の一端部に固定され、四角い枠状に形成され、締め付けベルトを長尺物に巻き付け、バックル部にベルト部の第３の他端部を挿入し、折り返して締め上げ、面ファスナーを重ね合わせて係合させることにより、機器固定部が長尺物に固定されるように構成したことを特徴とする。
【００２２】
そして、長尺物の外周の大きさに応じて、締め付けベルトを複数連結するように構成したことを特徴とする
【発明の効果】
【００２３】
本発明によれば、上述の特徴を有することから、下記に示すことが可能となる。
【００２４】
機器を、長尺物に固定するための固定装置であって、固定装置は、機器固定台と、圧接ゴム脚と、締め付けベルトとを有し、機器固定台は、第１の一端部に機器固定部と、第１の他端部に圧接ゴム脚連結部と締め付けベルト取り付け部とを備え、圧接ゴム脚は、ゴム状の可撓性のある材料からなり、第２の一端部に機器固定台連結部と、第２の他端部に圧接部とを備え、締め付けベルトは、バックル部とベルト部とを備えていて、圧接ゴム脚連結部と機器固定台連結部とを互いに連結し、締め付けベルト取り付け部に締め付けベルトを取り付けた状態で、締め付けベルトを長尺物に巻き付け締め付けて固定する固定装置において、圧接部は二股に分かれた形状をなし、二股に分岐する根元近傍の部分であって第１の所定の厚さを有する基部圧接部と、基部圧接部のそれぞれの端部から、薄肉の部分により連結され第２の所定の厚さを有する単数または複数の補助圧接部とを備えており、締め付けベルトで、断面外径が丸い長尺物に巻き付けて締め付けたときには、機器固定台が締め付けベルトにより長尺物方向に押しつけられることにより基部圧接部が長尺物に圧接され、補助圧接部は締め付けベルトにより外面が押圧されることにより長尺物に圧接されて、固定装置が長尺物に固定されるよう構成されているので、基部圧接部による圧接に加えて、補助圧接部も圧接して機器固定台を支えることにより、軽い力でも、強固なグリップ力を得ることができる。また、基部圧接部と補助圧接部とは薄肉の部分により連結されているので、薄肉の部分で圧接部を折り曲げることが可能であり、固定具が取り付けられる長尺物の径の範囲を大きくすることができる。
【００２５】
また、端部圧接部は、側面から見たときの断面形状が外面方向に向かって細くなっている略三角形または略台形形状であるので、締め付けベルトにより補助圧接部の外面が押圧されたときに先端部から押し潰されて圧着するので、軽い力でも、強固なグリップ力を得ることができる。
【００２６】
また、圧接部は略逆Ｙ字状の形状であるので、二股の部分がガイドになり、長尺物に固定装置を乗せただけでセンター出しができて、そのまま締め付けベルトを締めることができるので、長尺物への固定装置の取り付けを、簡単に素早く行うことができる。
【００２７】
また、長尺物に当接される圧接部の内面は、連続した略平面状に形成されているので、特にパイプのように表面が平滑な長尺物の場合には、強固なグリップ力を得ることができる。
【００２８】
また、圧接ゴム脚連結部は第１の他端部に形成された凹部であって、締め付けベルト取り付け部は第１の他端部に形成され、長尺物の周方向に形成された幅広の第１の貫通穴であり、機器固定台連結部は、第２の一端部に形成された凸部であり、凸部には長尺物の周方向に形成された幅広の第２の貫通穴が形成されていて、凹部と凸部を第１の貫通穴と第２の貫通穴の方向を合わせて連結させた状態で、第１の貫通穴と第２の貫通穴により互いに貫通する連通貫通穴が構成され、連通貫通穴に締め付けベルトを通した状態で、機器固定台と圧接ゴム脚と締め付けベルトとは一体となるように構成したので、組み立てが容易で、部品点数も少ないものとなる。
【００２９】
また、機器固定部には三脚ねじ軸を備えるので、三脚ねじ穴を有する様々な機器を取り付けることができる。
【００３０】
また、ベルト部は、帯状に形成され、フック状の係合素子とループ状の係合素子が同一面に並存している面ファスナーを一面に有していて、バックル部はベルト部の第３の一端部に固定され、四角い枠状に形成され、締め付けベルトを長尺物に巻き付け、バックル部にベルト部の第３の他端部を挿入し、折り返して締め上げ、面ファスナーを重ね合わせて係合させることにより、機器固定部が長尺物に固定されるように構成したので、長尺物への固定装置の取り付け、取り外しが簡単で、大きな締め付け力を得ることができる。
【００３１】
そして、長尺物の外周の大きさに応じて、締め付けベルトを複数連結するように構成したので、外周の大きな長尺物にも容易に対応することができる。
【図面の簡単な説明】
【００３２】
【図１】本発明の一実施形態に係る固定装置の使用状態を示す斜視図
【図２】本発明の一実施形態に係る固定装置を示す斜視図
【図３】本発明の一実施形態に係る固定装置を示す三面図
【図４】本発明の一実施形態に係る固定装置を示す斜視分解図
【図５】本発明の一実施形態に係る固定装置を組み立てる状況を示す斜視図
【図６】本発明の一実施形態に係る固定装置を組み立てた状態を示す部分断面図
【図７】本発明の一実施形態に係る固定装置の使用状態を示す側面図
【図８】本発明の一実施形態に係る固定装置の使用状態を示す側面図
【図９】本発明の一実施形態に係る固定装置の使用状態を示す側面図
【図１０】本発明の他の実施形態に係る固定装置の使用状態を示す斜視図
【図１１】本発明の他の実施形態に係る固定装置を示す斜視図
【図１２】本発明の他の実施形態に係る固定装置を組み立てる状況を示す斜視図
【図１３】本発明の他の実施形態に係る固定装置の使用状態を示す斜視図
【図１４】本発明の他の実施形態に係る固定装置の部分を示す斜視図
【図１５】一般に知られている固定装置の使用状態を示す斜視図
【発明を実施するための形態】
【００３３】
以下、図面を参照して、本発明の実施形態について、詳細に説明する。
【００３４】
（第１の実施形態）
図１乃至９を参照して、本発明の第１の実施形態について説明する。
図１は、固定装置（固定装置）１を介して、手前側を締め付けるようにして、自転車のハンドルのパイプのような小径パイプ２１０にカメラ１１０を取り付けた、固定装置１の使用状態における斜視図を示す。なお、ここでカメラ１１０は、固定装置１を介して固定される機器１００の一例であり、小径パイプ２１０は、長尺物２００の一例である。
【００３５】
図１に示すように、カメラ１１０は、全体として略立方体形の、いわゆるサイコロ形をしたカメラ本体１１１を有している。カメラ本体１１１の前面部に保護ガラス１１２が張られ、その内側にレンズ部１１３が設けられ、背面部には図示されない液晶モニタ、下面には図示されない三脚ねじ穴、上面と背面には図示されない操作部を有している。カメラ１１０とスマートフォンとを互いに通信させることにより、カメラ１１０の撮影画像をスマートフォンのモニタに表示させながら、スマートフォンを操作して、カメラ１１０で撮影させることもできる構成となっている。
【００３６】
図１に示すように、固定装置１は、機器固定台（機器固定台）２と、圧接ゴム脚（圧接ゴム脚）３と締め付けベルト（締め付けベルト）４とを有している。締め付けベルト４と圧接ゴム脚３とは、機器固定台２の下部に取り付けられて構成される。また、締め付けベルト４はベルト部４ａとバックル部４ｂとを備えている。
ここで、図１に示すように、カメラ１１０を固定装置１に固定したとき、撮影者側から見た状態で前後方向、上下方向、左右方向を示し、被写体側を前方、撮影者側を後方として説明することにする。また、固定装置１についても同様の方向とし、本実施形態ではバックル部４ｂが配置されている方向を、前方と呼ぶこととする。
【００３７】
図２乃至図９を用いて、本実施形態の固定装置１について、以下詳しく説明する。
図２は、固定装置１を後方から見た斜視図を示す。図３は、固定装置１の三面図であって、図２Ａは平面図、図２Ｂは背面図、図２Ｃは右側面図を示す。
【００３８】
図４は、固定装置１を分解した前方から見た分解斜視図を示す。図５は、固定装置１が備える部品を、どのように組み立てるかを示す前方から見た斜視図を示す。図６は、固定装置１を組み立てた状態において、固定装置１を構成する部品がどのような位置関係になるかを模式的に示した部分断面図を示す。
【００３９】
図７は、固定装置１を小径パイプ２１０に取り付けた状態における右側面図を示す。図８は、固定装置１を小径パイプ２１０より径の大きい、例えば公園の柵や遊具のパイプのような大径パイプ２２０に取り付けた状態における右側面図を示す。図９は、長尺物２００として、断面が四角い角材状の部材２３０の略平面の部分に、固定装置１を取り付けた状態における右側面図を示す。
【００４０】
図２および図５に示すように、機器固定台２は、上部に三脚ねじ穴に螺合可能な三脚ねじ軸５を備えた機器固定部６、下部に圧接ゴム脚３と連結する圧接ゴム脚連結部７と締め付けベルト４を取り付ける締め付けベルト取り付け部８とを備える略箱形の形状で、合成樹脂等で成型してなる。
【００４１】
図２および図４に示すように、機器固定台２は、固定シート９、天板１０、締め付けダイアル１１、機器固定台本体１２を有している。固定シート９は、中央部に丸い貫通穴を有するゴム等の可撓性のある材料から出来た薄いシートである。天板１０は、中央部に丸い貫通穴を有している。締め付けダイアル９は略円形の形状をなし、三脚ねじ軸５を中央部に一体に固定し保持している。機器固定台本体１２は、前面と後面の上部に切り欠き部を有する空間を備え、天板１０を止めねじにより結合可能に構成されている。
【００４２】
図２および図４に示すように、機器固定台２の組み立ては、まず天板１０の貫通穴に三脚ねじ軸５を下方向から挿入し、Ｅ形止め輪で締め付けダイアル１１を回動可能に固定する。そして、機器固定台本体１２の上部の空間に、締め付けダイアル１１を挿入し、天板１０を止めねじで機器固定台本体１２に固定し、天板１０の上から固定シート９を貼付する。締め付けダイアル９の一部は、機器固定台本体１０の前面と後面の切り欠き部から突出されるので、カメラ１１０の三脚ねじ穴を三脚ねじ軸５に押し当て、突出した締め付けダイアル９を回動させることにより、三脚ねじ穴と螺合され、カメラ１１０は機器固定台２に固定される。
【００４３】
図５に示すように、機器固定台２の下面７ａの略中央部には四角い凹部７ｂが設けられ、圧接ゴム脚連結部７が構成される。ここで、下面７ａは、側面から見たときに浅い略Ｖ字形に見える、下向きに中央部が少し出っ張った２面７ｃ、７ｄから構成される。図４に示すように、凹部７ｂは、機器固定台本体１０下部略中央部に形成された四角い貫通穴の上部を締め付けダイアル１１の下面が塞ぐようにして形成される。
また図４および図５に示すように、機器固定台２の前面と後面の下部を貫通する幅広の貫通穴８ａ、８ｂが設けられていて、締め付けベルト取り付け部８を構成している。
【００４４】
図２乃至図５に示すように、圧接ゴム脚３は、所定の幅を有し、側面方向から見ると開脚角度が約８０度から９０度の略逆Ｙ字状で対称形の形状をなし、ゴム等の可撓性のある材料、例えばウレタンゴム、で一体に成型してなる。圧接ゴム脚３の上部の上面１３ａ中央からは四角い幅広の凸部１３ｂが突出し、凸部１３ｂには前後方向に幅広の貫通穴１３ｃが設けられ、機器固定台連結部１３を構成している。ここで、上面１３ａ側面から見たときに浅い略Ｖ字形に見える、下向きに中央部が少し凹んでいる２面１３ｄ、１３ｅから構成されている。
【００４５】
図５に示すように、圧接ゴム脚３の二股に分岐した下部は、圧接部１４を形成している。各分岐した圧接部１４は、外面側からの略Ｖ字形の溝によって区切られていて、二股に分岐する根元近傍の部分であって第１の所定の厚さを有する基部圧接部１４ａと、基部圧接部１４ａのそれぞれの端部から薄肉の部分１４ｂにより連結され第２の所定の厚さを有する２つの補助圧接部１４ｃとから構成される。２つの補助圧接部１４ｃは薄肉の部分１４ｂで連結される。ここで、圧接部１４の内面側は、連続した略平面状に形成されている。
【００４６】
図３（Ｃ）に示すように、基部圧接部１４ａの前後の幅は、機器固定台２の下部の前後の幅よりも大きく形成されている。また、各補助圧接部１４ｃは、側面から見たときの断面形状が外面方向に向かって細くなっている略三角形または略台形形状に形成されている。
また、基部圧接部１４ａの第１の所定の厚さは、ここでは約５ｍｍから１０ｍｍであり、各補助圧接部１４ｃの第２の所定の厚さは約４ｍｍから１０ｍｍである。
【００４７】
図２乃至図５に示すように、締め付けベルト４は、前述のように、ベルト部４ａとバックル部４ｂとを有している。図５に示すように、ベルト部４ａは所定の幅と長さとを備え、フック状の係合素子とループ状の係合素子が同一面に並存している面を外面側に備える面ファスナーで構成される。バックル部４ｂは四角い枠状の形状をなし、ベルト部１５の一端部に固定されている。ベルト部４ａの他端部をバックル部４ｂに挿入し、折り返して面ファスナー同士を重ね合わせて係合される。ここで、ベルト部４ａを折り返して引っ張るので、動滑車の原理により、締め付けベルト４を強い力で締め付けることができる。
なお、図２に示すように、ベルト部４ａのどちらの面に係合素子があるかを明らかにするために、係合素子のある面にドットを配置した。図２以降の図面についても同様である。
【００４８】
機器固定台２と圧接ゴム脚３と締め付けベルト４とを、どのように組み立てるかを、図５を用いて説明する。図５に示すように、まず、機器固定台２にある圧接ゴム脚連結部７の凹部７ｂに、機器固定台連結部１３の凸部１３ｂを、貫通穴８ａと貫通穴１３ｃの方向を合わせて、挿入するようにして連結する。この状態では、締め付けベルト取り付け部８の貫通穴８ａと機器固定台連結部１３の貫通穴１３ｃとは、互いに貫通する連通貫通穴１５が構成される。そして、図５に示すように、ベルト部４ａの他端部を連通貫通穴１５に通すことにより、組み立てが完了する。このため、固定装置１の組み立てが容易で、部品点数も少ないものとなる。
【００４９】
ここで、図６に示すように、連通貫通穴１５の穴の大きさは、係合素子を一面に有し起毛されている状態のベルト部４ａが、移動可能ではあるが簡単に抜け落ちない大きさに形成されている。
【００５０】
またここで、図５に示すように、圧接ゴム脚連結部７の下面７ａは、下向きに中央部が少し出っ張った２面７ｃ、７ｄから構成され、圧接ゴム脚３の上面１３ａも同様に、下向きに中央部が凹んだ２面１３ｄ、１３ｅから構成されているので、組み立てられたときには、２面がそれぞれ重なって互いに前後方向の中心が合致するように位置出しされる。そして、機器固定台２が締め付けベルト４により圧接ゴム脚３に押しつけられたときには、お互いの前後方向の位置がずれることなく、圧接ゴム脚３は機器固定台２によって押圧される。
【００５１】
固定装置１を長尺物２００に巻き付けるようにして固定するときに、固定装置１を構成する部品がどのように作用するかについて、図１乃至図９を用いて、以下説明する。
【００５２】
図７に示すように、長尺物２００が圧接ゴム脚３の開脚角度とくらべて径が小さな小径パイプ２１０である場合には、圧接ゴム脚３の開脚を狭めて、小径パイプ２１０の外周に沿って巻き付くようにして圧接される。すなわち、締め付けベルト４を締め付けると、機器固定台２が下方向に押しつけられて基部圧接部１４ａが小径パイプ２１０に圧接されるとともに、基部圧接部１４ａが機器固定台２の下部からはみ出た部分の外面が締め付けベルト４で押圧されて変形し、小径パイプ２１０に圧接される。
【００５３】
図１および図７に示すように、補助圧接部１４ｃは、外面が締め付けベルト４で押圧されて薄肉の部分１４ｂで折れ曲がるとともに、小径パイプ２１０の外面に沿って変形し圧接される。このとき、補助圧接部１４ｃは第２の所定の厚さを有していて、その断面形状が略三角形または略台形形状に形成されているので締め付けベルト４により、補助圧接部１４ｃの先端部から押し潰されて圧着される。
【００５４】
図１および図７に示すように、固定装置１を小径パイプ２１０に当てて、締め付けベルト４を締め付けるだけで、圧接ゴム脚３はその外面が押されて、小径パイプ２１０の外周の略４分の３の広い角度の範囲に巻き付く。すなわち、圧接部１４は小径パイプ２１０の外周の半周を超えて巻き付いているので、固定装置１は強いグリップ力を得ている。
【００５５】
図１および図７に示すように、圧接ゴム脚３は基部圧接部１４ａと補助圧接部１４ｃとを有しており、基部圧接部１４ａによる圧接に加えて、補助圧接部１４ｃも小径パイプ２１０の外周に圧接される。すなわち、小径パイプ２１０の外周の広い角度にわたって、圧接ゴム脚３の基部圧接部１４ａと補助圧接部１４ｃのそれぞれが分担して、圧接部１４内面が連続して強く圧接するため、軽い力でも、強固なグリップ力を得ることができる。
【００５６】
図１および図７に示すように、圧接ゴム脚３の内面は、薄肉の部分１４ｂも含めて、連続した略平面状に形成されており、広い面積で平滑な外面を有する小径パイプ２１０に連続して密着されるので、グリップ力は更に強固なものとなる。
【００５７】
また、図１乃至図７に示すように、固定装置１を小径パイプ２１０に当てるとき、圧接ゴム脚３の圧接部１４は略逆Ｙ字状の形状であるので、二股の部分がガイドになり、長尺物に固定装置を乗せただけでセンター出しができる。また、締め付けベルト４を締め付けるときに、スムーズに小径パイプ２１０の外周に沿って折れ曲がり、そのまま締め付けベルトを締めることができる。すなわち、固定装置１の小径パイプ２１０長尺物への取り付けを、簡単に素早く行うことができる。
【００５８】
ここで、図１においては、締め付けベルト４のバックル部４ｂの位置を前方としていたが、ベルト部４ａは連通貫通穴１５の中を移動可能に構成されているため、後方や下方等、任意のところにバックル部４ｂを配置することができる。また、連通貫通穴１５の逆方向から、ベルト部４ａを挿入させることもできる。すなわち、長尺物２００に対して、締めやすい方向と向きに、バックル部４ｂを配置して、締め付けることができる。
【００５９】
次に、図８に示すように、長尺物２００が圧接ゴム脚３の開脚角度とくらべて径が大きな大径パイプ２２０である場合には、圧接ゴム脚３の開脚を広げて、大径パイプ２２０の外周に沿って巻き付くようにして圧接される。すなわち、締め付けベルト４を締め付けると、機器固定台２が下方向に押しつけられて基部圧接部１４ａが開脚を広げて大径パイプ２２０に圧接される。
【００６０】
図８に示すように、補助圧接部１４ｃは、外面が締め付けベルト４で押圧されて薄肉の部分１４ｂでわずかに折れ曲がるとともに、大径パイプ２２０の外面に沿って変形し圧接される。このとき、補助圧接部１４ｃの断面形状が略三角形または略台形形状に形成されており、締め付けベルト４により、補助圧接部１４ｃの先端部から押し潰されて圧着される。
【００６１】
図８に示すように、圧接ゴム脚３の内面の広い面積で、平滑な外面を有する大径パイプ２２０に圧接するので、大径パイプ２２０に対応し固定装置１は安定して固定される。なお、補助圧接部１４ｃの数を増やす等して、大径パイプ２の外周の広い角度にわたって、例えば外周の半周を超えて、巻き付くようにすれば、更に強いグリップ力を得ることができる。この場合、圧接ゴム脚３の補助圧接部１４ｃを最初から多数設けておいて、使用者が長尺物２００の外周の大きさに合わせて適宜、余った助圧接部１４ｃの部分を切り取る構成としてもよい。
【００６２】
なおここで、大径パイプ２２０の外周が大きいので、１本の締め付けベルト４では不足する。そこで、図８に示すように、２本の締め付けベルト４を連結して締め付けて固定するようにした。締め付けベルト４の連結は、一方のベルト部４ａの他端部を他方のバックル部４ｂに挿入し、折り返して係合させるだけなので、極めて容易である。このように、締め付けベルト４を複数本用意することにより、長尺物の外周が大きくなっても、対応することが可能となる。
【００６３】
図９に示すように、断面が四角い角材状部材２３０の略平面の部分に固定装置１を取り付ける場合には、圧接ゴム脚３を大きく開脚されて、角材状部材２３０の平面部に圧接される。また、１本の締め付けベルト４では不足するので、ここでは３本の締め付けベルト４を連結して使用している。
【００６４】
図９に示すように、この３本の締め付けベルト４で締め付けると、機器固定台２が下方向に押しつけられて基部圧接部１４ａが更に大きく開脚して角材状部材２３０に圧接される。そして、基部圧接部１４ａと補助圧接部１４ｃとの間の薄肉の部分１４ｂで、補助圧接部１４ｃが外側に折り曲げられる。端部の補助圧接部１４ｃは、外面が締め付けベルト４で押圧されて角材状部材２３０の平面部に圧接される。圧接ゴム脚３が広い面積で、角材状部材２３０に圧接するので、固定装置１が安定して固定される。
【００６５】
以上の様な構成としたことから、角材状部材２３０に対応して安定して固定される固定装置１が得られた。また、同じ長さの締め付けベルト４を複数本用意することにより、長尺物の断面形状が矩形であって、外周が大きくなっても、対応することが可能となり、また、締め付けベルト４の種類が増えず、製造や管理が簡単となる。
【００６６】
ここで、固定装置１が全体としてたいへんコンパクトであり、取り付け、取り外しも容易なことから、例えば自転車から離れるときには、カメラ１１０を固定装置１に取り付けたまま取り外してポケット等に入れて持ち運べるようになった。これにより、自転車で行った先の公園等において、公園の柵や遊具の大径パイプ２２０に固定装置１を使ってカメラ１１０を固定し、自分や、一緒に行った仲間等と、記念写真等を撮影するというようなことが簡単に可能となる。
【００６７】
またここで、自転車から離れるときは、一般には盗難防止のためにカメラ１１０だけを取り外して持ち運ぶことになるが、その場合には、自転車に付けてある固定装置１を外されて持ち去られてしまうといういたずらをされることがある。カメラ１１０を固定装置１に取り付けたまま、簡単に取り外して持ち運べるようになったので、このいたずらを防止することも可能となった。
【００６８】
なお、本実施形態では、カメラ１１０を固定装置１に三脚ねじ軸５で直接固定したが、カメラ１１０の保持具を固定装置１に取り付けて、保持具を介してカメラ１１０を固定してもよい。また、カメラ１１０の保持具と固定装置１を兼用する形にして一体に構成し固定装置付き保持具としてもよいし、カメラ１１０と固定装置１を兼用する形にして一体に構成し固定装置付きカメラとしてもよい。
【００６９】
また、機器固定台２の材質を合成樹脂等で成型したものと説明したが、アルミニューム等のダイカストで作成してもよい。
【００７０】
また、締め付けベルト４としてベルト部１５全体が面ファスナーでできているものを示したが、ベルト部１５の一部に面ファスナーを有するものでもよいし、バックル部１６とベルト部１５全体が面ファスナーでできているものでもよい。
【００７１】
また、本実施形態では、図１に示すように、手前側を締め付けてベルト４のバックル部１６があるほうを前側としたが、これは図の説明のために仮に定めたものであり、前述したように、バックル部は後ろ側や下側等、任意のところに位置させることができる。また、逆方向から、ベルト部４ａを挿入させることもできる。
【００７２】
（第２の実施形態）
図１０乃至図１２を参照して、本発明の第２の実施形態について説明する。
図１０は、カメラ１１０を、雲台付き固定装置（固定装置）１６を介して、小径パイプ２１０に取り付けた使用状態における、斜視図を示す。図１１は、雲台付き固定装置１６の斜視図、図１２は、雲台付き固定装置１６を構成する部品を、どのように組み立てるかを示す斜視図を示す。
ここで、雲台付き固定装置１６は、カメラ１１０の向きを左右方向および上下方向に回動させる角度調節機能を有するものである。
【００７３】
図１１および図１２に示すように、雲台付き固定装置１６は、機器固定台（機器固定台）１７と圧接ゴム脚（圧接ゴム脚）３と締め付けベルト（締め付けベルト）４とを備え、機器固定台１７の下部に、締め付けベルト４と圧接ゴム脚３が取り付けられて構成される。
なお、図１１および図１２においては、機器固定台１７の形状等を明らかにするために、図１０とは逆の方向から締め付けベルト４を機器固定台１７に挿入している図を示している。
【００７４】
図１１および図１２に示すように、機器固定台１７は、上部に三脚ねじ穴に螺合可能な三脚ねじ軸５を備えた雲台部１８、下部に圧接ゴム脚３と連結する圧接ゴム脚連結部１９と締め付けベルト４を取り付ける締め付けベルト取り付け部２０とを備える略箱形の形状で、合成樹脂等で成型してなる。
【００７５】
図１１に示すように、雲台部１８は、基台１８ａ、ティルト回動体１８ｂ、パン回動体１８ｃ、ティルト操作体１８ｄ、パン操作体１８ｅを備える。ティルト回動体１８ｂは基台に水平軸を中心として上下方向に回動可能に設けられている。パン回動体１８ｃはティルト回動体に垂直軸を中心として左右方向に回動可能に設けられている。ティルト操作体１８ｄを回動させるとティルト回動体１８ｃが連動して回動する。そして、パン操作体１８ｅを回動させるとパン回動体１８ｃが連動して回動する。ティルト操作体１８ｄとパン操作体１８ｅとは、ティルト回動体１８ｃに設けられていてティルト回動体１８ｃと一体に回動する。
【００７６】
機器固定台１７の圧接ゴム脚連結部１９と締め付けベルト取り付け部２０に、圧接ゴム脚３と締め付けベルト４を、どのように組み立てるかについては、図１２に示すように、第１の実施形態と同様の構成であるので、ここでは説明を省略する。
【００７７】
このように雲台付き固定装置１６を用いることにより、機器１００を長尺物２００に固定した状態で、機器１００の向きを左右方向および上下方向に回動させることができる。
【００７８】
図１２に示すように、機器固定台１７に圧接ゴム脚３を連結して、締め付けベルト４をと取り付けることにより、組み立てが完了する。このため、雲台付き固定装置１６の組み立てが容易で、部品点数も少ないものとなる。
【００７９】
また、図１２に示すように、圧接ゴム脚３は基部圧接部１４ａと補助圧接部１４ｃとを有しており、基部圧接部１４ａによる圧接に加えて、補助圧接部１４ｃも小径パイプ２１０の外周に圧接される。すなわち、小径パイプ２１０の外周の広い角度にわたって、圧接ゴム脚３の基部圧接部１４ａと補助圧接部１４ｃのそれぞれが分担して、圧接部１４内面が連続して強く圧接するため、軽い力でも、強固なグリップ力を得ることができる。  
【００８０】
なお、本実施形態で示した雲台付き固定装置１６は、角度調節機能を有するものの一例で有り、ボールとボールホルダーにより角度調節するものや、リンク式のもの等一般に知られている構成のものを用いてもよいのは勿論である。
【００８１】
（第３の実施形態）
図１３を参照して、本発明の第３の実施形態について説明する。
図１３は、固定装置付き照明器具（固定装置）２１を、断面が四角い角材状部材２３０の角部の部分に取り付けた状態の斜視図を示している。図１３に示すように、固定装置付き照明器具２１は照明器具２２、折り曲げ自在に構成されたアーム部（機器固定台）２３、圧接ゴム脚（圧接ゴム脚）２４と締め付けベルト（締め付けベルト）２５とを備えている。すなわち、アーム部２３と圧接ゴム脚２４と締め付けベルト２５とにより照明器具用固定装置（固定装置）２６を形成している。
【００８２】
図１３に示すように、アーム部２３の下端部は、第１の実施形態の機器固定台２と同様の構成になっており、圧接ゴム脚２４と締め付けベルト２５とを取り付けて組み立てすることができる。締め付けベルト２５で締め付けると、圧接ゴム脚２４が広い面積で、角材状部材２３０に圧接するので、固定装置付き照明器具１９が角材状部材２３０に安定して固定される。
【００８３】
なお、本実施形態の圧接ゴム脚２４の幅は、第１の実施形態で説明したものよりも、広く厚い幅となっていて、よりしっかりと固定がされる構成となっている。このように、固定する機器１００の大きさや重さに対応して、圧接ゴム脚２４と締め付けベルト２５の幅を広くしたり厚くしたり形を変えることができる。
【００８４】
ところで、以上に述べた実施形態では、圧接ゴム脚３の圧接部１４の内面部は平面であるとして説明してきた。しかしながら、長尺物２００の表面状態に合わせて、圧接ゴム脚３の内面の状態を変えることができる。例えば、図１４（Ａ）に示すように溝を入れてみたり、図１４（Ｂ）に示すように突起を入れてみたり、図１４（Ｃ）に示すように吸盤を配置してみたりしてもよい。
【００８５】
また、長尺物１００としてパイプや角材状部材について説明したが、これに限定されず、締め付けベルトを巻き付けて締め付けられるものならば、長尺物と呼ぶこととする。すなわち、長尺物１００としては、ハードカバーの書物のような板状のもの、人間の腕や脚や頭部、ヘルメット等も含むものとする。スキーやスキューバ・ダイビング等のスポーツの場面では、人間の腕や脚や頭部に着衣の上から、またはヘルメット等に装着できるので、たいへん便利に使用できる。
【００８６】
また、機器固定台２、１８、２３と圧接ゴム脚３、２４と締め付けベルト４、２５とは、組み合わせただけで組み立てが完了する構成を示したが、圧接ゴム脚３と締め付けベルト４をビスやリベット等で取り付けて組み立ててもよい。
【００８７】
また、締め付けベルト４の係合方式については、面ファスナーを使用せず、いわゆるピン式バックルやリング式バックル等のものを用いてもよい。
【００８８】
以上のように、本発明は、機器を、長尺物に固定するための固定装置であって、機器固定台と、圧接ゴム脚と、締め付けベルトとを有し、圧接ゴム脚は、ゴム状の可撓性のある材料からなり、長尺物に圧接する圧接部を備え、圧接部は二股に分かれた形状をなし、二股に分岐する根元近傍の部分であって第１の所定の厚さを有する基部圧接部と、基部圧接部の端部から薄肉の部分により連結され第２の所定の厚さを有する単数または複数の補助圧接部とを備えており、締め付けベルトで、断面外径が丸い長尺物に巻き付けて締め付けたときには、機器固定台が締め付けベルトにより長尺物方向に押しつけられることにより基部圧接部が長尺物に圧接され、補助圧接部は締め付けベルトにより外面が押圧されることにより長尺物に圧接されて、固定装置が長尺物に固定されるよう構成されたことにより、基部圧接部による圧接に加えて、補助圧接部も圧接して機器固定台を支えることにより、強固なグリップ力を得ることを可能とするとともに、基部圧接部と補助圧接部とは薄肉の部分により連結されているので、薄肉の部分で圧接部を折り曲げて狭めたり広げたりすることが可能であり、固定具が取り付けられる長尺物の径の範囲を大きくすることを可能としたものである。
【００８９】
なお、本発明の固定装置は、前述しかつ図面に示した実施の形態に限定されるものではなく、その要旨を逸脱しない範囲内で種々の変形実施が可能である。すなわち、機器の保持具と固定装置を兼用する形にして一体に構成してもよいし、機器と固定装置を兼用する形にして一体に構成してもよい。また例えば、上述した実施の形態においては、機器としてカメラと照明器具に適用した例について説明しているが、これに限定されず、自転車用であれば、サイクル・コンピュータやヘッドランプ、テイルランプ、ベル等に適用できるし、また、携帯端末（スマートフォン等）の保持具や、ナビゲーション機器、携帯電話、警報音発生機器等の機器に適用できるものである。また、スポーツ用とか工事現場用等、いろいろな状況に適用できるものである。
【符号の説明】
【００９０】
１  固定装置
２  機器固定台
３  圧接ゴム脚
４  締め付けベルト
４ａ  ベルト部
４ｂ  バックル部
５  三脚ねじ軸
６  機器固定部
７  圧接ゴム脚連結部
８  締め付けベルト取り付け部
９  固定シート
１０  天板
１１  締め付けダイアル
１２  機器固定台本体
１３  機器固定台連結部
１４  圧接部
１５  連通貫通穴
１６  雲台付き固定装置
１７  機器固定台
１８  雲台部
１９  圧接ゴム脚連結部
２０  締め付けベルト取り付け部
２１  固定装置付き照明器具
２２  照明器具
２３  アーム部
２４  圧接ゴム脚
２５  締め付けベルト
２６  照明器具用固定装置
【図１】
2019128427.tif 000003
【図２】
2019128427.tif 000004
【図３】
2019128427.tif 000005
【図４】
2019128427.tif 000006
【図５】
2019128427.tif 000007
【図６】
2019128427.tif 000008
【図７】
2019128427.tif 000009
【図８】
2019128427.tif 000010
【図９】
2019128427.tif 000011
【図１０】
2019128427.tif 000012
【図１１】
2019128427.tif 000013
【図１２】
2019128427.tif 000014
【図１３】
2019128427.tif 000015
【図１４】
2019128427.tif 000016
【図１５】
2019128427.tif 000017